(57)【要約】      （修正有）【課題】楽曲に対するイメージを広くユーザから集めて、イメージに基づいて楽曲の検索を行えるようにする。【解決手段】サーバ装置は、ユーザが有する表示端末装置から、楽曲のイメージを表す言葉を集めて検索用データベース２０を作成する。検索用データベース２０には、ユーザから集められた言葉が随時登録されるため、楽曲に対するイメージを表す語も順次増加していく。一方、楽曲を検索する際は、楽曲に対するイメージを表す語で検索することができ、楽曲のタイトル名及び作成者名をユーザが覚えていなくても、主観に基づくイメージを表した言葉で検索することが可能になる。しかも、検索時には複数の検索ワードで「ａｎｄ検索」も可能であるため、様々なイメージで楽曲を検索できる。【選択図】図１
2007249570.tif 000002
【特許請求の範囲】
【請求項１】
サーバ装置が記憶するコンテンツに、表示端末装置から該サーバ装置へ送信される言葉を関連付けてデータベースを作成するデータベース作成方法であって、
前記サーバ装置は、
コンテンツの印象を表す言葉の受付が可能な受付画面に係る画面データを前記表示端末装置へ送信し、
前記表示端末装置は、
前記画面データを受信して前記受付画面を表示し、
表示した受付画面で受け付けた言葉を前記サーバ装置へ送信し、
前記サーバ装置は、
受信した言葉を検索ワードとして、前記画面データの受付画面に係るコンテンツに関連付けてデータベースを作成することを特徴とするデータベース作成方法。
【請求項２】
前記サーバ装置は、
同一の言葉を複数回受信した場合、受信回数を該言葉に対応付けて前記データベースに登録する請求項１に記載のデータベース作成方法。
【請求項３】
前記受付画面は言葉と共に地域の受付が可能であり、
前記表示端末装置は、
前記受付画面で受け付けた地域を前記サーバ装置へ送信し、
前記サーバ装置は、
受信した地域を言葉と共に、コンテンツに関連付けてデータベースを作成する請求項１又は請求項２に記載のデータベース作成方法。
【請求項４】
サーバ装置で記憶されるコンテンツに係るデータベースを作成するデータベース作成方法であって、
前記サーバ装置は、コンテンツの印象を表す言葉の受付が可能な受付画面に係る画面データを送信し、
前記画面データの送信先から言葉を受信し、
受信した言葉を検索ワードとして、前記画面データの受付画面に係るコンテンツに関連付けてデータベースを作成することを特徴とするデータベース作成方法。
【請求項５】
表示端末装置から送信される検索ワードに基づいて、請求項１乃至請求４のいずれか１つ記載のデータベース作成方法で作成されたデータベースから前記サーバ装置がコンテンツを検索するコンテンツ検索方法であって、
前記表示端末装置は、
コンテンツの作成者名又はコンテンツの名称を検索ワードとして受け付け、
受け付けた検索ワードを前記サーバ装置へ送信し、
前記サーバ装置は、
受信した検索ワードに係るコンテンツを前記データベースから検索し、
該当するコンテンツがある場合、該コンテンツ及び該コンテンツに関連付けられた言葉を載せた検索結果画面に係る結果画面データを前記表示端末装置へ送信することを特徴とするコンテンツ検索方法。
【請求項６】
表示端末装置から送信される検索ワードに基づいて、請求項３に記載のデータベース作成方法で作成されたデータベースから前記サーバ装置がコンテンツを検索するコンテンツ検索方法であって、
前記表示端末装置は、
コンテンツの作成者名又はコンテンツの名称を検索ワードとして受け付け、
受け付けた検索ワードを前記サーバ装置へ送信し、
前記サーバ装置は、
受信した検索ワードに係るコンテンツを前記データベースから検索し、
該当するコンテンツがある場合、該コンテンツ及び該コンテンツに関連付けられた言葉を地域別に示したリストを載せた検索結果画面に係る結果画面データを前記表示端末装置へ送信することを特徴とするコンテンツ検索方法。
【請求項７】
表示端末装置から送信される検索ワードに基づいて、請求項１乃至請求項４のいずれか１つに記載のデータベース作成方法で作成されたデータベースから前記サーバ装置がコンテンツを検索するコンテンツ検索方法であって、
前記表示端末装置は、
検索ワードとして、コンテンツの印象に係る言葉を受け付け、
受け付けた言葉を前記サーバ装置へ送信し、
前記サーバ装置は、
受信した言葉に関連付けられたコンテンツを前記データベースから検索し、
該当するコンテンツがある場合、該コンテンツを載せた検索結果画面に係る結果画面データを前記表示端末装置へ送信することを特徴とするコンテンツ検索方法。
【請求項８】
前記表示端末装置は、コンテンツの印象に係る言葉を複数、受け付け可能にしており、
複数の言葉を受け付けた場合、受け付けた複数の言葉を前記サーバ装置へ送信し、
前記サーバ装置は、
受信した複数の言葉の全てに関連付けられたコンテンツを前記データベースから検索する請求項７に記載のコンテンツ検索方法。
【請求項９】
前記サーバ装置は、該当したコンテンツに関連付けられた言葉を前記検索結果画面に載せる請求項７又は請求項８に記載のコンテンツ検索方法。
【請求項１０】
前記サーバ装置は、前記検索結果画面に載せた言葉を選択可能にしており、
前記表示端末装置は、
前記サーバ装置から送信された結果画面データを受信して前記検索結果画面を表示し、
表示した検索結果画面に載せた言葉の選択を受け付けた場合、選択に係る言葉を前記サーバ装置へ送信し、
前記サーバ装置は、
受信した言葉の受信回数を該言葉に対応付けて前記データベースに登録する請求項
５、６、９のいずれか１つに記載のコンテンツ検索方法。
【請求項１１】
受信した検索ワードに基づいて、請求項１乃至請求項４のいずれか１つに記載のデータベース作成方法で作成されたデータベースから前記サーバ装置がコンテンツを検索するコンテンツ検索方法であって、
前記サーバ装置は検索ワードとして、コンテンツの作成者名又はコンテンツの名称を受信した場合、受信した検索ワードに係るコンテンツを前記データベースから検索し、
該当するコンテンツがある場合、該コンテンツ及び該コンテンツに関連付けられた言葉を載せた検索結果画面に係る結果画面データを検索ワードの送信元へ送信することを特徴とするコンテンツ検索方法。
【請求項１２】
受信した検索ワードに基づいて、請求項１乃至請求項４のいずれか１つに記載のデータベース作成方法で作成されたデータベースから前記サーバ装置がコンテンツを検索するコンテンツ検索方法であって、
前記サーバ装置は検索ワードとして、コンテンツの印象に係る言葉を受信した場合、受信した言葉に関連付けられたコンテンツを前記データベースから検索し、
該当するコンテンツがある場合、該コンテンツを載せた検索結果画面に係る結果画面データを検索ワードの送信元へ送信することを特徴とするコンテンツ検索方法。
【請求項１３】
サーバ装置が記憶するコンテンツに、表示端末装置から該サーバ装置へ送信される言葉を関連付けてデータベースを作成するデータベース作成システムであって、
前記サーバ装置は、
コンテンツの印象を表す言葉の受付が可能な受付画面に係る画面データを前記表示端末装置へ送信する手段を備え、
前記表示端末装置は、
前記画面データを受信して前記受付画面を表示する処理を行う手段と、
表示した受付画面で受け付けた言葉を前記サーバ装置へ送信する手段とを備え、
前記サーバ装置はさらに、
受信した言葉を検索ワードとして、前記画面データの受付画面に係るコンテンツに関連付けてデータベースを作成する手段を備えることを特徴とするデータベース作成システム。
【請求項１４】
表示端末装置から送信される検索ワードに基づいて、請求項１３に記載のデータベース作成システムで作成されたデータベースから前記サーバ装置がコンテンツを検索するコンテンツ検索システムであって、
前記表示端末装置は、
コンテンツの作成者名又はコンテンツの名称を検索ワードとして受け付ける手段と、
受け付けた検索ワードを前記サーバ装置へ送信する手段とを備え、
前記サーバ装置は、
受信した検索ワードに係るコンテンツを前記データベースから検索する手段と、
該当するコンテンツがある場合、該コンテンツ及び該コンテンツに関連付けられた言葉を載せた検索結果画面に係る結果画面データを前記表示端末装置へ送信する手段とを備えることを特徴とするコンテンツ検索システム。
【請求項１５】
表示端末装置から送信される検索ワードに基づいて、請求項１３に記載のデータベース作成システムで作成されたデータベースから前記サーバ装置がコンテンツを検索するコンテンツ検索システムであって、
前記表示端末装置は、
検索ワードとして、コンテンツの印象に係る言葉を受け付ける手段と、
受け付けた言葉を前記サーバ装置へ送信する手段とを備え、
前記サーバ装置は、
受信した言葉に関連付けられたコンテンツを前記データベースから検索する手段と、
該当するコンテンツがある場合、該コンテンツを載せた検索結果画面に係る結果画面データを前記表示端末装置へ送信する手段とを備えることを特徴とするコンテンツ検索システム。
【請求項１６】
記憶するコンテンツに係るデータベースを作成するデータベース作成装置であって、
コンテンツの印象を表す言葉の受付が可能な受付画面に係る画面データを送信する手段と、
前記画面データの送信先から言葉を受信する手段と、
受信した言葉を検索ワードとして、前記画面データの受付画面に係るコンテンツに関連付けてデータベースを作成する手段とを備えることを特徴とするデータベース作成装置。
【請求項１７】
受信した検索ワードに基づいて、請求項１６に記載のデータベース作成装置が作成したデータベースからコンテンツを検索するコンテンツ検索装置であって、
検索ワードとして、コンテンツの作成者名又はコンテンツの名称を受信した場合、受信した検索ワードに係るコンテンツを前記データベースから検索する手段と、
該当するコンテンツがある場合、該コンテンツ及び該コンテンツに関連付けられた言葉を載せた検索結果画面に係る結果画面データを検索ワードの送信元へ送信する手段とを備えることを特徴とするコンテンツ検索装置。
【請求項１８】
受信した検索ワードに基づいて、請求項１６に記載のデータベース作成装置が作成したデータベースからコンテンツを検索するコンテンツ検索装置であって、
検索ワードとして、コンテンツの印象に係る言葉を受信した場合、受信した言葉に関連付けられたコンテンツを前記データベースから検索する手段と、
該当するコンテンツがある場合、該コンテンツを載せた検索結果画面に係る結果画面データを検索ワードの送信元へ送信する手段とを備えることを特徴とするコンテンツ検索装置。
【請求項１９】
コンテンツを記憶する記憶手段及び通信手段を有するコンピュータに、記憶するコンテンツに係るデータベースを作成させるためのコンピュータプログラムであって、
コンピュータを、
コンテンツの印象を表した言葉の受付が可能な受付画面に係る画面データを前記通信手段で送信する処理を行わせる手段と、
前記画面データの送信先から前記通信手段で言葉を受信した場合、受信した言葉を検索ワードとして、前記画面データの受付画面に係るコンテンツに関連付けてデータベースを作成する手段として機能させることを特徴とするコンピュータプログラム。
【請求項２０】
通信手段を有するコンピュータに、該通信手段で受信した検索ワードに基づいて、請求項１９に記載のコンピュータプログラムが規定する処理で作成されたデータベースからコンテンツを検索させるためのコンピュータプログラムであって、
コンピュータを、
検索ワードとして、コンテンツの作成者名又はコンテンツの名称を前記通信手段で受信した場合、受信した検索ワードに係るコンテンツを前記データベースから検索する手段と、
該当するコンテンツがある場合、該コンテンツ及び該コンテンツに関連付けられた言葉を載せた検索結果画面に係る結果画面データを検索ワードの送信元へ前記通信手段で送信する処理を行わせる手段として機能させることを特徴とするコンピュータプログラム。
【請求項２１】
通信手段を有するコンピュータに、該通信手段で受信した検索ワードに基づいて、請求項１９に記載のコンピュータプログラムが規定する処理で作成されたデータベースからコンテンツを検索させるためのコンピュータプログラムであって、
コンピュータを、
検索ワードとして、コンテンツの印象に係る言葉を前記通信手段で受信した場合、受信した言葉に関連付けられたコンテンツを前記データベースから検索する手段と、
該当するコンテンツがある場合、該コンテンツを載せた検索結果画面に係る結果画面データを検索ワードの送信元へ前記通信手段で送信する処理を行わせる手段として機能させることを特徴とするコンピュータプログラム。
【発明の詳細な説明】
【技術分野】
【０００１】
本発明は、ユーザ側で入力されるコンテンツのイメージを表す言葉を検索ワードとして登録してデータベースを作成するデータベース作成方法、データベース作成システム、データベース作成装置、及びコンピュータプログラムに関すると共に、作成されたデータベースを用いてコンテンツに対するユーザのイメージに基づきコンテンツを検索可能にしたコンテンツ検索方法、コンテンツ検索システム、コンテンツ検索装置、及びコンピュータプログラムに関する。
【背景技術】
【０００２】
従来、楽曲、画像等の各種コンテンツの提供サービスを行っている事業体（企業体）が多数存在する。コンテンツの提供サービスは、サーバ装置からネットワークを介してユーザの端末装置へコンテンツを配信することが一般的である。
【０００３】
このようなコンテンツの提供サービスにおいて、提供されるコンテンツの指定はユーザの指示に従って行われる。例えば、コンテンツが楽曲である場合は、楽曲の曲名又は演奏するアーティスト名などをユーザが指定することで、多数のコンテンツを登録したデータベースに対してサーバ装置がユーザ指定の曲名又はアーティスト名などで検索を行い、検索で該当したコンテンツをデータベースから抽出してユーザへ提供することになる。
【０００４】
しかし、ユーザは、自身が希望する楽曲の曲名又はアーティスト名などを常に覚えているとは限らず、希望する楽曲のイメージ（曲調、印象など）だけを覚えている場合も多々存在する。このような場合でもユーザが希望する楽曲の検索を可能にするための方法が提案されている。例えば特許文献１では、ユーザが、希望する楽曲の曲調を表した語を複数提示すると、予め作成された評価軸データベースで定められた評価値範囲に基づき提示された各語の評価値範囲を特定し、その特定した評価値範囲に含まれる曲を予め作成された楽曲評価データベースに基づいて検索することが開示されている。
【特許文献１】特開２００３−２２２８２号公報
【発明の開示】
【発明が解決しようとする課題】
【０００５】
希望する楽曲のイメージに基づいて楽曲を検索する場合、楽曲に対するイメージは、基本的に楽曲の提供を行う事業体側で適宜設定されるため、ユーザが主観的に感じる楽曲のイメージとは相異することもあり、ユーザがイメージに基づき検索を行っても、検索結果がユーザのイメージする楽曲と一致しないことがある。また、特許文献１に係る検索方法でも、楽曲評価データベースの評価値はレコード会社のように楽曲の提供側で定められるため、楽曲に対する個々のユーザの主観的なイメージと乖離することもあり、ユーザの希望する楽曲を検索できない場合が生じると共に、検索に用いるデータベースの内容が複雑化し、管理が困難になると云う問題が生じる。
【０００６】
さらに、従来は、データベースに登録される楽曲のイメージは、同じような意味の妥当な範囲内にとどまり、例えば「明るくて暗い」と云うように相反するイメージ付けが行われることはなかった。そのため、楽曲のイメージ付けが没個性化し、一度付けられたイメージは通常更新されないので、楽曲のイメージが事業体側で設定された意味で固定化されると云う問題があった。なお、上述した各問題は、提供されるコンテンツが楽曲である場合以外にも、静止画、動画（映画、ドラマ等）、書籍関係のようにユーザ側がイメージ（印象）を抱く対象となる各種コンテンツで同様に発生する。
【０００７】
本発明は、斯かる問題に鑑みてなされたものであり、コンテンツに係るイメージ付けを個々のユーザに委ねて、ユーザが抱いたイメージをコンテンツに関連付けてデータベースを作成すると共に、そのデータベースを用いてコンテンツを検索できるようにしたデータベース作成方法、コンテンツ検索方法、データベース作成システム、コンテンツ検索システム、データベース作成装置、コンテンツ検索装置、及びコンピュータプログラムを提供することを目的とする。
また、本発明は、個々のユーザが抱くイメージを順次蓄えてデータベースを作成し、コンテンツに係るイメージ付けの内容を豊富にしてコンテンツのイメージの内容及び変化をユーザが楽しめると共に、様々なイメージでコンテンツを検索できるようにしたデータベース作成方法及びコンテンツ検索方法を提供することを目的とする。
【０００８】
さらに、本発明は、ユーザの抱くコンテンツに対するイメージは、各ユーザの出身地及び生活地と云った地域により差が生じることを考慮して、ユーザの抱くイメージを地域ごとにデータベースに登録し、同一コンテンツに対する地域ごとにイメージの違いを表せるようにしたデータベース作成方法及びコンテンツ検索方法を提供することを目的とする。
【課題を解決するための手段】
【０００９】
上記課題を解決するために本発明に係るデータベース作成方法は、サーバ装置が記憶するコンテンツに、表示端末装置から該サーバ装置へ送信される言葉を関連付けてデータベースを作成するデータベース作成方法であって、前記サーバ装置は、コンテンツの印象を表す言葉の受付が可能な受付画面に係る画面データを前記表示端末装置へ送信し、前記表示端末装置は、前記画面データを受信して前記受付画面を表示し、表示した受付画面で受け付けた言葉を前記サーバ装置へ送信し、前記サーバ装置は、受信した言葉を検索ワードとして、前記画面データの受付画面に係るコンテンツに関連付けてデータベースを作成することを特徴とする。
【００１０】
また、本発明に係るデータベース作成方法は、前記サーバ装置は、同一の言葉を複数回受信した場合、受信回数を該言葉に対応付けて前記データベースに登録することを特徴とする。
さらに、本発明に係るデータベース作成方法は、前記受付画面は言葉と共に地域の受付が可能であり、前記表示端末装置は、前記受付画面で受け付けた地域を前記サーバ装置へ送信し、前記サーバ装置は、受信した地域を言葉と共に、コンテンツに関連付けてデータベースを作成することを特徴とする。
【００１１】
さらにまた、本発明に係るデータベース作成方法は、サーバ装置で記憶されるコンテンツに係るデータベースを作成するデータベース作成方法であって、前記サーバ装置は、コンテンツの印象を表す言葉の受付が可能な受付画面に係る画面データを送信し、前記画面データの送信先から言葉を受信し、受信した言葉を検索ワードとして、前記画面データの受付画面に係るコンテンツに関連付けてデータベースを作成することを特徴とする。
【００１２】
本発明に係るコンテンツ検索方法は、表示端末装置から送信される検索ワードに基づいて、上述したデータベース作成方法で作成されたデータベースから前記サーバ装置がコンテンツを検索するコンテンツ検索方法であって、前記表示端末装置は、コンテンツの作成者名又はコンテンツの名称を検索ワードとして受け付け、受け付けた検索ワードを前記サーバ装置へ送信し、前記サーバ装置は、受信した検索ワードに係るコンテンツを前記データベースから検索し、該当するコンテンツがある場合、該コンテンツ及び該コンテンツに関連付けられた言葉を載せた検索結果画面に係る結果画面データを前記表示端末装置へ送信することを特徴とする。
【００１３】
また、本発明に係るコンテンツ検索方法は、表示端末装置から送信される検索ワードに基づいて、上述したデータベース作成方法で作成されたデータベースから前記サーバ装置がコンテンツを検索するコンテンツ検索方法であって、前記表示端末装置は、コンテンツの作成者名又はコンテンツの名称を検索ワードとして受け付け、受け付けた検索ワードを前記サーバ装置へ送信し、前記サーバ装置は、受信した検索ワードに係るコンテンツを前記データベースから検索し、該当するコンテンツがある場合、該コンテンツ及び該コンテンツに関連付けられた言葉を地域別に示したリストを載せた検索結果画面に係る結果画面データを前記表示端末装置へ送信することを特徴とする。
【００１４】
さらに、本発明に係るコンテンツ検索方法は、表示端末装置から送信される検索ワードに基づいて、上述したデータベース作成方法で作成されたデータベースから前記サーバ装置がコンテンツを検索するコンテンツ検索方法であって、前記表示端末装置は、検索ワードとして、コンテンツの印象に係る言葉を受け付け、受け付けた言葉を前記サーバ装置へ送信し、前記サーバ装置は、受信した言葉に関連付けられたコンテンツを前記データベースから検索し、該当するコンテンツがある場合、該コンテンツを載せた検索結果画面に係る結果画面データを前記表示端末装置へ送信することを特徴とする。
【００１５】
さらにまた、本発明に係るコンテンツ検索方法は、前記表示端末装置は、コンテンツの印象に係る言葉を複数、受け付け可能にしており、複数の言葉を受け付けた場合、受け付けた複数の言葉を前記サーバ装置へ送信し、前記サーバ装置は、受信した複数の言葉の全てに関連付けられたコンテンツを前記データベースから検索することを特徴とする。
また、本発明に係るコンテンツ検索方法は、前記サーバ装置は、該当したコンテンツに関連付けられた言葉を前記検索結果画面に載せることを特徴とする。
【００１６】
さらに、本発明に係るコンテンツ検索方法は、前記サーバ装置は、前記検索結果画面に載せた言葉を選択可能にしており、前記表示端末装置は、前記サーバ装置から送信された結果画面データを受信して前記検索結果画面を表示し、表示した検索結果画面に載せた言葉の選択を受け付けた場合、選択に係る言葉を前記サーバ装置へ送信し、前記サーバ装置は、受信した言葉の受信回数を該言葉に対応付けて前記データベースに登録することを特徴とする。
【００１７】
また、本発明に係るコンテンツ検索方法は、受信した検索ワードに基づいて、上述したデータベース作成方法で作成されたデータベースから前記サーバ装置がコンテンツを検索するコンテンツ検索方法であって、前記サーバ装置は検索ワードとして、コンテンツの作成者名又はコンテンツの名称を受信した場合、受信した検索ワードに係るコンテンツを前記データベースから検索し、該当するコンテンツがある場合、該コンテンツ及び該コンテンツに関連付けられた言葉を載せた検索結果画面に係る結果画面データを検索ワードの送信元へ送信することを特徴とする。
さらに、本発明に係るコンテンツ検索方法は、受信した検索ワードに基づいて、上述したデータベース作成方法で作成されたデータベースから前記サーバ装置がコンテンツを検索するコンテンツ検索方法であって、前記サーバ装置は検索ワードとして、コンテンツの印象に係る言葉を受信した場合、受信した言葉に関連付けられたコンテンツを前記データベースから検索し、該当するコンテンツがある場合、該コンテンツを載せた検索結果画面に係る結果画面データを検索ワードの送信元へ送信することを特徴とする。
【００１８】
本発明に係るデータベース作成システムは、サーバ装置が記憶するコンテンツに、表示端末装置から該サーバ装置へ送信される言葉を関連付けてデータベースを作成するデータベース作成システムであって、前記サーバ装置は、コンテンツの印象を表す言葉の受付が可能な受付画面に係る画面データを前記表示端末装置へ送信する手段を備え、前記表示端末装置は、前記画面データを受信して前記受付画面を表示する処理を行う手段と、表示した受付画面で受け付けた言葉を前記サーバ装置へ送信する手段とを備え、前記サーバ装置はさらに、受信した言葉を検索ワードとして、前記画面データの受付画面に係るコンテンツに関連付けてデータベースを作成する手段を備えることを特徴とする。
【００１９】
本発明に係るコンテンツ検索システムは、表示端末装置から送信される検索ワードに基づいて、上述したデータベース作成システムで作成されたデータベースから前記サーバ装置がコンテンツを検索するコンテンツ検索システムであって、前記表示端末装置は、コンテンツの作成者名又はコンテンツの名称を検索ワードとして受け付ける手段と、受け付けた検索ワードを前記サーバ装置へ送信する手段とを備え、前記サーバ装置は、受信した検索ワードに係るコンテンツを前記データベースから検索する手段と、該当するコンテンツがある場合、該コンテンツ及び該コンテンツに関連付けられた言葉を載せた検索結果画面に係る結果画面データを前記表示端末装置へ送信する手段とを備えることを特徴とする。
【００２０】
また、本発明に係るコンテンツ検索システムは、表示端末装置から送信される検索ワードに基づいて、上述したデータベース作成システムで作成されたデータベースから前記サーバ装置がコンテンツを検索するコンテンツ検索システムであって、前記表示端末装置は、検索ワードとして、コンテンツの印象に係る言葉を受け付ける手段と、受け付けた言葉を前記サーバ装置へ送信する手段とを備え、前記サーバ装置は、受信した言葉に関連付けられたコンテンツを前記データベースから検索する手段と、該当するコンテンツがある場合、該コンテンツを載せた検索結果画面に係る結果画面データを前記表示端末装置へ送信する手段とを備えることを特徴とする。
【００２１】
本発明に係るデータベース作成装置は、記憶するコンテンツに係るデータベースを作成するデータベース作成装置であって、コンテンツの印象を表す言葉の受付が可能な受付画面に係る画面データを送信する手段と、前記画面データの送信先から言葉を受信する手段と、受信した言葉を検索ワードとして、前記画面データの受付画面に係るコンテンツに関連付けてデータベースを作成する手段とを備えることを特徴とする。
【００２２】
本発明に係るコンテンツ検索装置は、受信した検索ワードに基づいて、請求項１６に記載のデータベース作成装置が作成したデータベースからコンテンツを検索するコンテンツ検索装置であって、検索ワードとして、コンテンツの作成者名又はコンテンツの名称を受信した場合、受信した検索ワードに係るコンテンツを前記データベースから検索する手段と、該当するコンテンツがある場合、該コンテンツ及び該コンテンツに関連付けられた言葉を載せた検索結果画面に係る結果画面データを検索ワードの送信元へ送信する手段とを備えることを特徴とする。
【００２３】
また、本発明に係るコンテンツ検索装置は、受信した検索ワードに基づいて、上述したデータベース作成装置が作成したデータベースからコンテンツを検索するコンテンツ検索装置であって、検索ワードとして、コンテンツの印象に係る言葉を受信した場合、受信した言葉に関連付けられたコンテンツを前記データベースから検索する手段と、該当するコンテンツがある場合、該コンテンツを載せた検索結果画面に係る結果画面データを検索ワードの送信元へ送信する手段とを備えることを特徴とする。
【００２４】
本発明に係るコンピュータプログラムは、コンテンツを記憶する記憶手段及び通信手段を有するコンピュータに、記憶するコンテンツに係るデータベースを作成させるためのコンピュータプログラムであって、コンピュータを、コンテンツの印象を表した言葉の受付が可能な受付画面に係る画面データを前記通信手段で送信する処理を行わせる手段と、前記画面データの送信先から前記通信手段で言葉を受信した場合、受信した言葉を検索ワードとして、前記画面データの受付画面に係るコンテンツに関連付けてデータベースを作成する手段として機能させることを特徴とする。
【００２５】
また、本発明に係るコンピュータプログラムは、通信手段を有するコンピュータに、該通信手段で受信した検索ワードに基づいて、上述したコンピュータプログラムが規定する処理で作成されたデータベースからコンテンツを検索させるためのコンピュータプログラムであって、コンピュータを、検索ワードとして、コンテンツの作成者名又はコンテンツの名称を前記通信手段で受信した場合、受信した検索ワードに係るコンテンツを前記データベースから検索する手段と、該当するコンテンツがある場合、該コンテンツ及び該コンテンツに関連付けられた言葉を載せた検索結果画面に係る結果画面データを検索ワードの送信元へ前記通信手段で送信する処理を行わせる手段として機能させることを特徴とする。
【００２６】
さらに、本発明に係るコンピュータプログラムは、通信手段を有するコンピュータに、該通信手段で受信した検索ワードに基づいて、上述したコンピュータプログラムが規定する処理で作成されたデータベースからコンテンツを検索させるためのコンピュータプログラムであって、コンピュータを、検索ワードとして、コンテンツの印象に係る言葉を前記通信手段で受信した場合、受信した言葉に関連付けられたコンテンツを前記データベースから検索する手段と、該当するコンテンツがある場合、該コンテンツを載せた検索結果画面に係る結果画面データを検索ワードの送信元へ前記通信手段で送信する処理を行わせる手段として機能させることを特徴とする。
【００２７】
本発明にあっては、表示端末装置が受付画面で受け付けたコンテンツの印象（イメージ）を表す言葉をサーバ装置へ送信すると共に、サーバ装置は受信した言葉を検索ワードとしてコンテンツに関連付けてデータベースを作成するので、作成されたデータベースは、コンテンツとユーザが抱いた印象を表す言葉が関連付けられたものとなり、ユーザ側の印象をベースにしたデータベースを作り上げることができる。なお、このようにしてデータベースを作成することは、ローカルなネットワーク又は広域なネットワークのいずれでも可能であり、できるだけ多くのユーザからコンテンツの印象を表した言葉を受け付けてデータベースを作成することが、様々な印象を抱く各ユーザが希望するコンテンツを検索できるようにするために重要となる。また、ユーザが抱く言葉はサーバ装置が随時データベースに登録することが、データベースを増強する点で好適となる。さらに、ユーザが抱く様々な言葉が客観的にコンテンツに関連付けられるため、コンテンツのイメージが多様化し、場合によっては「明るくて暗い」と云う相反するイメージ付けが行われることも生じ、ユーザはコンテンツの多様なイメージを楽しめる。
【００２８】
また、本発明にあっては、同一の言葉を複数回受信した場合、その言葉の受信回数をデータベースに登録するため、コンテンツの印象に係る言葉を受信回数に基づき順位を付けてユーザに提供することも可能となり、コンテンツに対するユーザの様々なイメージを多数決的な順位で分かりやすく提示できる。
【００２９】
さらに、本発明にあっては、受付画面で言葉と共に地域の受付を可能にすると共に、言葉及び地域を受信した場合、コンテンツに言葉及び地域を関連付けてデータベースを作成するので、コンテンツの印象を地域別に提供することも可能になり、ユーザが地域によるコンテンツの印象の同異を楽しめる。
【００３０】
本発明にあっては、上述したデータベース作成方法で作成されたデータベースをコンテンツの作成者又はコンテンツの名称で検索した場合、該当したコンテンツと、そのコンテンツに関連付けられた言葉とを載せた内容を検索結果画面としてユーザに提示するので、ユーザは検索したコンテンツに対して、他のユーザが抱いている印象を知ることができ、自分が抱くコンテンツの印象と、他のユーザが抱く印象とを適宜比較でき、コンテンツに関する印象のばらつき度合い、同一の程度などをユーザは楽しむことができる。
【００３１】
また、本発明にあっては、上述したデータベース作成方法で作成されたデータベースをコンテンツの作成者又はコンテンツの名称で検索した場合、該当したコンテンツと、そのコンテンツに関連付けられた言葉を地域別の示したリストとを載せた検索結果画面をユーザへ提示するので、ユーザが地域別にコンテンツに対する印象の違いを一目で確認することができ、地域ごとのコンテンツの印象と云う新たな切り口でコンテンツに対する楽しみをユーザに提供できる。例えば、ある楽曲に対して、日本国内の東北及び関東地方のユーザはポップで明るいイメージを抱く一方、沖縄地方のユーザはクールで落ち着いたイメージを抱いていると云うことを確認することができ、地域ごとのイメージの差を楽しめる。なお、地域を分ける範囲レベルはニーズに応じて適宜設定可能であり、具体的には、広く地方レベルで分けること、都道府県レベルで分けること、市町村レベルで分けることが可能である。
【００３２】
さらに、本発明にあっては、上述したデータベース作成方法で作成されたデータベースをコンテンツの印象に係る言葉で検索した場合、その言葉に関連付けられたコンテンツを探すので、コンテンツの提供側が設定したイメージではなく、様々なユーザが実際に抱いた印象（イメージ）を表した言葉をベースにした検索を実現できる。
【００３３】
さらにまた、本発明にあっては、複数の言葉でデータベースを検索する場合、複数の言葉の全てに関連付けられたコンテンツを探すようにするため、様々なユーザが実際に抱いた印象を表した言葉に対して、所謂ａｎｄ検索を行えるようになり、コンテンツに関連付けられている各言葉の意味に関係なく、コンテンツに関連付けられた言葉の中に検索に用いた複数の言葉が有るか否かと云うことで検索を行える。その結果、コンテンツに対して相反する意味の語が複数関連付けられていた場合、相反する意味の語を複数用いて検索することも可能となり、従来の検索方法ではヒットしなかったような言葉の組合せでも、本発明では検索を行える。
【００３４】
また、本発明にあっては、コンテンツの印象に係る言葉で検索した場合、該当したコンテンツに加えて、そのコンテンツに関連付けられた言葉も検索結果画面に載せるので、検索を行ったユーザは、ヒットしたコンテンツに対して他のユーザは、どのような印象（イメージ）を抱いているかを確認でき、自身のイメージとの同異を楽しむことができる。
【００３５】
さらに、本発明にあっては、検索結果にコンテンツの印象に係る言葉を載せる場合は、その言葉を選択可能にすると共に、その言葉が表示端末装置で選択されたときはサーバ装置へ送信し、サーバ装置では、その言葉の受信回数をデータベースに登録するので、データベースに登録される言葉の内容を随時増強できる。即ち、コンテンツの作成者又はコンテンツの名称で検索を行った場合、検索結果に載せられたコンテンツの印象に係る言葉を見たユーザが、同様な印象を抱けば、その言葉を選択するだけでデータベース内の言葉の受信回数が増えるため、データベースの増強を容易に行える。また、コンテンツの印象に係る言葉で検索した場合でも、検索結果に載せられた他のユーザの抱く印象の言葉を確認して、そのようなイメージも確かに感じられると思えば、その言葉を選択するだけでデータベース内の言葉の受信回数が増えるため、データベースの増強更新を容易に行える。なお、検索結果に載せる言葉が複数あるときは、データベースに登録されている言葉の受信回数に基づき順位付けを行うと、ユーザ支持の多いイメージが明確になり好適である。
【発明の効果】
【００３６】
本発明にあっては、受付画面で受け付けたコンテンツの印象を表す言葉を検索ワードとしてコンテンツに関連付けてデータベースを作成するので、コンテンツの作成者又は名称等以外に、ユーザに抱いた印象に基づいて検索可能なデータベースを提供できる。
また、本発明にあっては、同一の言葉を複数回受信した場合、その言葉の受信回数をデータベースに登録するため、コンテンツの印象に係る言葉を受信回数の基づき順位付けることができる。
さらに、本発明にあっては、コンテンツに言葉及び地域を関連付けてデータベースを作成するので、コンテンツの印象を地域別に示すことができる。
【００３７】
本発明にあっては、コンテンツの作成者又はコンテンツの名称で検索した場合、該当したコンテンツと、そのコンテンツに関連付けられた言葉とを載せた内容を検索結果画面としてユーザに提示するので、ユーザは、自分が抱くコンテンツの印象と、他のユーザが抱く印象とを適宜比較でき、コンテンツに関する印象の同異を楽しめる。
また、本発明にあっては、検索結果として該当したコンテンツと、そのコンテンツに関連付けられた言葉を地域別の示したリストとを載せた検索結果画面をユーザへ提示するので、ユーザは地域別にコンテンツに対する印象を一目で確認でき、地域ごとのコンテンツの印象の同異を楽しめる。
【００３８】
本発明にあっては、コンテンツの印象に係る言葉で検索することで、コンテンツの提供側が設定したワードではなく、様々なユーザが実際に抱いた印象を表した言葉をベースにした検索を実現できる。
また、本発明にあっては、複数の言葉で検索する場合、複数の言葉の全てに関連付けられたコンテンツを探すため、様々なユーザが実際に抱いた印象を表した言葉に対して、所謂ａｎｄ検索を実現でき、相反する意味の語を複数用いたような検索も行える。
さらに、本発明にあっては、コンテンツの印象に係る言葉で検索した場合、該当したコンテンツに加えて、そのコンテンツに関連付けられた言葉も検索結果画面に載せるので、検索を行ったユーザは、検索に係るコンテンツに対する他のユーザが抱く印象も確認できる。
【００３９】
また、本発明にあっては、検索結果にコンテンツの印象に係る言葉を載せる場合、その言葉を選択可能すると共に、その言葉が表示端末装置で選択されたときはサーバ装置へ送信し、サーバ装置では、その言葉の受信回数をデータベースに登録するので、データベースに登録される言葉の内容を容易に増強できる。
【発明を実施するための最良の形態】
【００４０】
図１は、本発明の実施形態に係るコンテンツ配信システム１の全体的な構成を示している。本実施形態のコンテンツ配信システム１は、サーバ装置１０に係る事業体がコンテンツとして各種楽曲を配信するサービスを行うためのものであり、サーバ装置１０が中心となってデータベースを作成するデータベース作成システム、及び作成したデータベースに基づきコンテンツを検索する検索システムとして機能する。サーバ装置１０は、ネットワークＮＷを通じてユーザの表示端末装置２〜２″と通信を行い、表示端末装置２〜２″から送信される楽曲のイメージ（コンテンツの印象を表す言葉）を登録して検索用データベース２０の内容を作り上げると共に、この検索用データベース２０とリンクしているコンテンツデータベース３０に登録されているコンテンツ（本実施形態では楽曲データ）をユーザの表示端末装置２〜２″へ配信する。
【００４１】
なお、図１では、３個の表示端末装置２〜２″を表すにとどまっているが、実際のサービスでは、ネットワークＮＷを介して多数の表示端末装置がサーバ装置１０と通信可能になっており、また、表示端末装置２〜２″には、表示機能及びネットワークＮＷを介して通信を行える通信機能を具備した各種情報端末機器（通信機能を具備したコンピュータ及びＰＤＡ、携帯電話機等）を適用できる。
【００４２】
図２は、表示端末装置２の内部構成を示すブロック図である。なお、他の表示端末装置２′、２″も同等な内部構成を有するため、表示端末装置２〜２″については、代表して表示端末装置２で説明する。表示端末装置２は、ネットワークＮＷに接続されて通信を行う汎用のコンピュータであり、各種制御処理を行うＭＰＵ２ａに、通信インタフェース２ｂ、ＲＡＭ２ｃ、ＲＯＭ２ｄ、モニタ用インタフェース２ｅ、操作用インタフェース２ｆ、音声出力インタフェース２ｇ、及びハードディスク装置２ｈを内部バス２ｊで接続している。なお、モニタ用インタフェース２ｅには各種表示を行うモニタ３が接続され、接続用インタフェース２ｆにはユーザから各種操作入力を受け付ける手段として機能するキーボード４及びマウス５が接続され、音声出力インタフェース２ｇにはスピーカが接続されている。
【００４３】
通信インタフェース２ｂは、外部のネットワークＮＷと接続されてＭＰＵ２ａの制御指示に基づき所定の通信先とデータの送受信を行う手段に相当し、本実施形態では、ユーザがキーボードで入力操作した情報（例えば、楽曲のイメージを表す言葉）及びマウスで選択された事項等をサーバ装置１０へ送信すると共に、サーバ装置１０から送信される各種画面データ及びコンテンツデータ等の受信を行う。ＲＡＭ２ｃはＭＰＵ２ａの処理に従うデータ及びフォルダ等を一時的に記憶し、ＲＯＭ２ｄはＭＰＵ２ａが行う基本的な処理内容を規定したプログラム等を予め記憶している。
【００４４】
ハードディスク装置２ｈは、各種プログラム及びデータ等を記憶し、具体的には、各種プログラムを作動させる上での基本的なプログラムになるＯＳプログラム３ａ、データの送受信処理を行う際のＭＰＵ２ａの処理内容を規定した通信プログラム３ｂを記憶している。なお、ＯＳプログラム３ａは、サーバ装置１０から送信される各種画面データの閲覧処理機能も具備しており、通信インタフェース２ｂで受信した画面データは内部バス２ｊを通じてモニタ用インタフェース２ｅへ送られ、図６〜１０等に示す各画面４０〜４６等がモニタ３に表示される。なお、ハードディスク装置２ｈは、後述するようにサーバ装置１０からダウンロードした楽曲データを記憶保存し、記憶した楽曲データはＯＳプログラム３ａに具備される楽曲再生機能により再生されて、音声出力インタフェース２ｇを通じてスピーカから出力可能になっている。
【００４５】
一方、図３は、検索用データベース２０の作成、及び楽曲（コンテンツ）の検索、配信等を行うサーバ装置１０を示している。サーバ装置１０は汎用のサーバコンピュータであり、内部バス１０ａを介してＣＰＵ１１、通信インタフェース１２、ＲＡＭ１３、ＲＯＭ１４、及びハードディスク装置１５を接続している。
【００４６】
通信インタフェース１２は、ネットワークＮＷを経由して外部の装置と各種データ及び情報の通信を行う通信手段に相当する。また、ＲＡＭ１３は、ＣＰＵ１１の処理に伴って生じるデータ及びフォルダ等を一時的に記憶し、ＲＯＭ１４は、ＣＰＵ１１が行う基本的な処理内容を規定したプログラムを予め記憶している。ハードディスク装置１５は、サーバ装置１０を作動させる上で基本となる処理内容を規定したシステムプログラム１６、サーバプログラム１７、各種画面データ１８ａ、１８ｂ・・・、検索用データベース２０、及びコンテンツデータベース３０等を記憶している。
【００４７】
図４は、楽曲配信サービスを開始する時点の検索用データベース２０の中身を示しており、また、図５は楽曲配信サービスの開始後、ユーザからの楽曲イメージが多数登録されてデータベースの中身が、ある程度作成された状態を示している。検索用データベース２０は、ＩＤ欄２０ａ、楽曲情報欄２０ｂ、楽曲イメージ欄２０ｃを有する。ＩＤ欄２０ａには、登録される楽曲ごとに付される固有の番号が設定される。また、楽曲情報欄２０ｂには、楽曲に係る書誌的な事項が設定され、具体的にはコンテンツの名称に係る楽曲名（図４、５では、楽曲Ａ、楽曲Ｂ等のタイトルが該当）、コンテンツの作成者に係るアーティスト名（図４、５ではアーティストＸ、ＥＦＧＢ等が該当）、楽曲の演奏者の名称（図４、５ではアーティストＸ、アーティストＹ等が該当）などが登録される。なお、楽曲情報欄２０ｂに登録されている語（楽曲Ａ、アーティストＸ、ＥＦＧＢ等）は検索用データベース２０を検索する際に、検索ワードとして使用可能になっている。
【００４８】
検索用データベース２０の楽曲イメージ欄２０ｃは、楽曲に対してユーザが抱くイメージを表す言葉（コンテンツの印象を表す言葉）が登録される欄であり、サービス開始時点では図４に示すように空欄になっている。サービスの開始後、サーバ装置１０が通信インタフェース１２で楽曲イメージを表す言葉を受信すると、その言葉は、イメージに係る楽曲に関連付けて楽曲イメージ欄２０ｃに登録される。例えば、楽曲Ａのイメージとして「明るい」と云う言葉をサーバ装置１０が受信すると、「明るい」と云う言葉は、楽曲ＡのＩＤが「１」である横方向の行における楽曲イメージ欄２０ｃに登録される（図５参照）。さらに、サーバ装置１０が、既に検索用データベース２０に登録されている言葉を受信すると、検索用データベース２０には、その言葉に対応付けて受信した回数（例えば、図５中の楽曲Ａに関連付けられた「明るい」の下方に記載された「１０５」と云う数値が該当）が登録される。
【００４９】
このような検索用データベース２０を用いることで、各楽曲には複数のイメージが付加されることになり、例えば、楽曲Ａは、明るくて、ポップで、元気で・・・そして悲しい曲と云う広いイメージ付けが行われる。さらに、このようなイメージ付けを表す言葉は、後述するように随時増加するため、さらに複雑なイメージ付けに発展することもあり、予想が付かない楽曲に対するイメージ（例えば、相反する「明るくて悲しい」など）をユーザは楽しむことができる。なお、楽曲イメージ欄２０ｃに登録される各言葉も、検索用データベース２０の検索時に使用できる検索ワードになっている。また、上述した説明では、検索用データベース２０の楽曲イメージ欄２０ｃは、サービス開始時では空欄になっていると説明したが、デフォルトとして楽曲のイメージを表す言葉を、サービスを提供する事業体側で、ある程度の数を設定しておくことも可能である。
【００５０】
一方、図３のハードディスク装置１５に記憶されるコンテンツデータベース３０は、各楽曲Ａ、Ｂ、Ｃ等のコンテンツ自体のデータである楽曲Ａデータ、楽曲Ｂデータ、楽曲Ｃデータ等を登録している。登録されている楽曲Ａデータ、楽曲Ｂデータ、楽曲Ｃデータ等には、上述した検索用データベース２０で使用される識別子と同じＩＤが付せられており、例えば、楽曲Ａに係る楽曲Ａデータに対しては、ＩＤとして「１」と云う数値を付して、検索用データベース２０の登録内容と紐付け（関連付け）を行っている。なお、上述した検索用データベース２０及びコンテンツデータベース３０に登録される楽曲の情報及びデータは、新曲の発表などに合わせて随時追加可能になっている。
【００５１】
また、図３のハードディスク装置１５に記憶される画面データ１８ａ、１８ｂ・・・は、サーバ装置１０の通信先になるユーザの表示端末装置２のモニタ３に表示される画面の中身を規定したものであり、サービスの遷移に応じてモニタ３に表示する画面も適宜切り替える必要があるため、後述する図６〜図１０等に示す各画面４０〜４６等に応じた複数の画面データ１８ａ、１８ｂ・・・を予めハードディスク装置１５に準備している。なお、各画面データ１８ａ、１８ｂ等は、図６〜図１０等に示す各画面４０〜４６等の基本となる背景部分を表示するだけであり、処理に応じた実質的な内容（例えば、検索結果）が、背景的な各画面データ１８ａ、１８ｂ等に付加されて、必要な画面データがサーバ装置１０で適宜作成されるようになっている。
【００５２】
図６はトップメニュー画面４０を示し、トップメニュー画面４０は、ユーザの表示端末装置２がサーバ装置１０へアクセスした場合、最初に表示端末装置２のモニタ３に表示される画面であり、計３個の選択可能なボタン４０ａ〜４０ｃを具備する。第１のボタン４０ａは、楽曲にユーザのイメージを付加する処理を開始するためのイメージ付加処理を選択するものであり、トップメニュー画面４０がユーザの表示端末装置２で表示されている状態で、ユーザによりボタン４０ａの選択操作が行われると、イメージ付加選択の旨がサーバ装置１０へ伝えられるようなっている。第２のボタン４０ｂは、楽曲の検索を開始する処理を選択するものであり、ユーザの表示端末装置２でトップメニュー画面４０が表示された状態で、ボタン４０ｂの選択操作が行われると、楽曲検索選択の旨がサーバ装置１０へ伝えられるようになっている。また、第３のボタン４０ｃは、サーバ装置１０との通信終了用のボタンであり、ボタン４０ｃの選択操作が行われると、通信終了の旨がサーバ装置１０へ伝えられるようになっている。
【００５３】
図７（ａ）は、楽曲選択メニュー画面４１を示し、図６のトップメニュー画面４０でイメージ付加のボタン４０ａが選択された場合にユーザの表示端末装置２で表示される画面である。楽曲選択メニュー画面４１には、コンテンツデータベース３０に登録されている各楽曲を選択可能に載せたリスト４１ａを表記している。また、楽曲選択メニュー４１は、ユーザの表示端末装置２で表示された状態で、リスト４１ａ中のいずれか１つの楽曲が選択される操作が行われると、選択された楽曲がサーバ装置１０へ伝えられるようになっている。なお、各データベース２０、３０に登録されている楽曲数が多く、一つのリスト４１ａに収まらないときは、前ボタン４１ｂ、又は後ボタン４１ｃが操作されることで前後のリストが表示される。
【００５４】
図７（ｂ）は、楽曲Ａ用の受付画面４２を示し、図７（ａ）の楽曲選択メニュー画面４１で楽曲Ａが選択された場合に表示される画面であり、楽曲Ａのイメージを表す言葉の入力が受付可能になっている。受付画面４２は、言葉の入力欄４２ａ、登録ボタン４２ｂ、及び、戻るボタン４２ｃを具備し、入力欄４２ａにはユーザが表示端末装置２のキーボード４で文字の入力操作を行うことで自由な言葉を入力できる。また、登録ボタン４２ｂは選択可能なボタンであり、ユーザの操作により選択されると、入力欄４２ａに入力された言葉を楽曲ＡのＩＤ（数値は「１」）と共に、サーバ装置１０へ伝えるようになっており、伝えられた言葉は検索用データベース２０に登録される。なお、戻るボタン４２ｃが選択されたときは、その旨がサーバ装置１０へ伝えられ、図７（ａ）の楽曲選択メニュー画面４１に係る画面データが表示端末装置２へ再度送信される。
【００５５】
一方、図８は、検索ワード受付画面４３を示し、図６のトップメニュー画面４０で楽曲検索のボタン４０ｂが選択された場合にユーザの表示端末装置２で表示される画面である。検索ワード受付画面４３は、検索ワードの入力欄４３ａ、検索ボタン４３ｂ、戻るボタン４３ｃを具備し、入力欄４３ａにはユーザが表示端末装置２のキーボード４で文字の入力操作を行うことで自由な検索ワードを入力できる。検索ワードとしては、楽曲のタイトル名（楽曲Ａ、楽曲Ｂ等）、及び楽曲の作成者の名称（アーティストＸ、ＥＦＧＨ等）等に加えて、ユーザが検索を希望している楽曲のイメージ（印象）を表す言葉の入力も可能になっている。このように入力欄４３ａには、楽曲のイメージを表す言葉の入力も可能にすることで、ユーザが曲名、楽曲の作成者名等を覚えていない場合でも、ユーザが抱いている楽曲のイメージに基づいた検索を行えるようにしている。また、検索ボタン４３ｂは選択可能なボタンであり、ユーザの操作により選択されると、入力欄４３ａに入力された検索ワードがサーバ装置１０へ伝えられる。なお、戻るボタン４３ｃが選択されたときは、その旨がサーバ装置１０へ伝えられ、図６のトップメニュー画面４０に係る画面データが表示端末装置２へ再度送信される。
【００５６】
図９（ａ）は、タイトル名の「楽曲Ａ」と云う検索ワードを用いて検索した場合の検索結果を表す検索結果画面４４を示している。検索結果画面４４は、検索結果として、タイトル（楽曲Ａ）、作成者（アーティストＸ）、演奏者（アーティストＸ）を載せると共に、楽曲Ａに対してサービスを利用する各ユーザから集めたイメージのイメージリスト４４ａを載せている。イメージリスト４４ａは、検索用データベース２０の楽曲Ａに関連付けられたイメージの言葉を受信回数順に並べたものである。よって、このイメージリスト４４ａをユーザが見ることで、楽曲Ａに対して他のユーザがどのようなイメージを抱いているかを確認でき、自身が抱くイメージとの同異を楽しむことができる。また、イメージリスト４４ａに挙げられた各言葉は選択可能になっており、選択されたときは、選択された言葉及び楽曲ＡのＩＤがサーバ装置１０へ伝えられるようになっており、伝えられた言葉は検索用データベース２０に登録される。なお、検索結果のタイトル名（楽曲Ａ）は選択可能なボタン４４ｂになっており、ボタン４４ｂが選択された場合は、楽曲ＡのＩＤを含んだ楽曲Ａのダウンロード指示がサーバ装置１０へ伝えられることになる。また、終了ボタン４４ｃは選択可能なボタンであり、選択されるとサーバ装置１０との通信が切断されて処理が終了する。
【００５７】
図９（ｂ）は、楽曲の作成者名である「アーティストＸ」と云う検索ワードを用いて検索した場合の検索結果を表す検索結果画面４５を示している。検索結果画面４５は、検索結果として、アーティストＸが作成した楽曲（楽曲Ａ、Ｃ、ＡＢ等）を載せると共に、検索用データベース２０の登録内容に基づき楽曲ごとのイメージを表す言葉の上位三語を挙げたイメージリスト４５ａ〜４５ｃも載せている。これらのイメージリスト４５ａ〜４５ｃを見ることで、ユーザは各楽曲のイメージを確認でき、ダウンロードする際の参考にできる。なお、各イメージリスト４５ａ〜４５ｃにおいても、挙げられた各言葉は選択可能になっており、選択されたときは、選択された言葉及び対応する楽曲のＩＤがサーバ装置１０へ伝えられ、伝えられた言葉は検索用データベース２０に登録される。また、検索結果のタイトル名は選択ボタン４５ｄ〜４５ｆに表記されており、選択ボタン４５ｄ〜４５ｆが選択された場合は、表記された楽曲のダウンロード指示がサーバ装置１０へ伝えられることになる。また、終了ボタン４５ｇについては、図９（ａ）に示す終了ボタン４４ｃと同機能である。
【００５８】
図１０は、「明るい」と云う楽曲のイメージを表す言葉を検索ワードとして検索した場合の検索結果を表す検索結果画面４６を示している。検索結果画面４６は、検索用データベース２０において「明るい」と云う言葉が関連付けられている楽曲を抽出して、「明るい」の受信回数順に並べた内容を検索結果として載せると共に、楽曲ごとのイメージを表す言葉を挙げたイメージリスト４６ａ〜４６ｃも載せている。なお、各イメージリスト４６ａ〜４６ｃの機能は、図９（ｂ）に示すイメージリスト４５ａ〜４５ｃと同様である。また、検索結果のタイトル名が表記された選択ボタン４６ｄ〜４６ｆ及び終了ボタン４６ｇの機能も、図９（ｂ）に示す選択ボタン４５ｄ〜４５ｆ及び終了ボタン４５ｇと同様である。
【００５９】
一方、図３に示すサーバプログラム１７は、サーバ装置１０のＣＰＵ１１が各手段として行う制御処理の中身を規定したものであり、本実施形態では検索用データベース２０を随時増強するデータベース作成に係る内容と、作成した検索用データベース２０を用いて楽曲の検索を行う処理内容を規定している。
【００６０】
サーバプログラム１７のデータベース作成に係る処理は、図６に示すトップメニュー画面４０において、イメージ付加に係るボタン４０ａが選択されたことを起点とする処理と、図９及び図１０の検索結果画面４４〜４６の載せられたイメージリスト４４ａ、４５ａ、４６ａ等に載せられた言葉が選択されたことを起点とする処理の２つに分かれる。
【００６１】
前者のイメージ付加選択を起点とする処理についてサーバプログラム１７は、先ず外部の装置からサーバ装置１０へアクセスを受けると、アクセス元へ図６のトップメニュー画面４０に係る画面データを送信する制御処理を規定している。また、サーバプログラム１７は、アクセス元からイメージ付加選択の旨をサーバ装置１０で受信すると、図７（ａ）の楽曲選択メニュー画面４１に係る画面データをアクセス元へ送信する制御処理を規定している。さらに、サーバプログラム１７は、アクセス元から楽曲選択メニュー画面４１で選択された楽曲をサーバ装置１０で受信すると、図７（ｂ）に示すように選択された楽曲用の受付画面４２に係る画面データをアクセス元へ送信する制御処理を規定している。さらにまた、サーバプログラム１７は、受付画面４２で受け付けられた言葉を楽曲のＩＤと共に受信すると、検索用データベース２０における受信ＩＤと同一行の楽曲イメージ欄２０ｃに、受信した言葉を登録する制御処理を規定している。
【００６２】
この際、登録対象となる楽曲イメージ欄２０ｃに、登録しようとする言葉が既に設定されている場合、その言葉の受信回数に１を加える設定処理を行うことを、サーバプログラム１７は規定している。なお、このようなサーバプログラム１７の規定処理に基づいてサーバ装置１０（ＣＰＵ１１）がデータベース作成する処理を行うとき、サーバ装置１０はデータベース作成装置に該当する。
【００６３】
また、上述した後者の処理として、イメージリスト４４ａ、４５ａ、４６ａ等に載せられた言葉が選択されたことを起点とする処理については、選択された言葉及び楽曲のＩＤをサーバ装置１０で受信すると、上記と同様に、受信したＩＤと同一行になる検索用データベース２０の楽曲イメージ欄２０ｃの登録されている受信した言葉の受信回数に１を加える処理をサーバプログラム１７は規定している。
【００６４】
一方、サーバプログラム１７の作成した検索用データベース２０を用いて検索を行う処理は、図６に示すトップメニュー画面４０で、楽曲検索に係るボタン４０ｂが選択されたことを起点に処理を開始するようにしている。詳しくは、サーバプログラム１７はアクセス元から楽曲検索選択の旨をサーバ装置１０で受信すると、図８の検索ワード受付画面４３に係る画面データをアクセス元へ送信する制御処理を規定している。さらに、サーバプログラム１７は、アクセス元から検索ワード受付画面４３で受け付けた検索ワードをサーバ装置１０で受信すると、受信した検索ワードに係る楽曲を検索用データベース２０から検索する処理を規定している。
【００６５】
検索した結果について、検索ワードが楽曲のタイトル名である場合、図９（ａ）に示すような検索結果を載せた画面データ（結果画面データに相当）を作成し、検索ワードが楽曲の作成者である場合、図９（ｂ）に示すような検索結果を載せた画面データ（結果画面データに相当）を作成し、検索ワードが楽曲のイメージを表した言葉である場合、図１０に示すような検索結果を載せた画面データ（結果画面データに相当）を作成することをサーバプログラム１７は規定している。さらに、サーバプログラム１７は、作成した検索結果に係る画面データをアクセス元へ送信する制御処理も規定している。なお、検索結果に係る画面データの送信に応じて、楽曲のダウンロード指示をサーバ装置１０で受信したときは、ダウンロード指示に係る楽曲のデータ（コンテンツデータ）をコンテンツデータベース３０から読み出してアクセス元へ送信（配信）する処理を行うこともサーバプログラム１７は規定している。また、このようなサーバプログラム１７の規定処理に基づいてサーバ装置１０（ＣＰＵ１１）が検索用データベース２０を検索する処理を行うとき、サーバ装置１０はコンテンツ検索装置に該当する。
【００６６】
図１１に示す第１フローチャートは、上述したデータベース作成に係る処理手順（データベース作成方法の処理手順）を整理したものである。以下、この第１フローチャートに基づいて、検索用データベース２０の作成に係る処理を説明する。
【００６７】
先ず、ユーザ側の表示端末装置２は、ネットワークＮＷを介してサーバ装置１０へアクセスする（Ｓ１）。サーバ装置１０はアクセスを受けると、図６に示すトップメニュー画面４０に係る画像データを表示端末装置２へ送信する（Ｓ２）。表示端末装置２は、画面データの受信に伴いモニタ３にトップメニュー画面４０を表示して、いずれの項目が選択されたかを判断する（Ｓ３）。楽曲検索のボタン４０ｂが選択された場合（Ｓ３：検索）、後述する図１２に示す第２フローチャートの処理を開始する。また、終了のボタン４０ｃが選択された場合（Ｓ３：終了）、サーバ装置１０は、表示端末装置２との通信接続を切断して処理を終了する。
【００６８】
さらに、イメージ付加のボタン４０ａが選択された場合（Ｓ３：イメージ付加）、表示端末装置２は、イメージ付加を選択した旨をサーバ装置１０へ送信する（Ｓ４）。サーバ装置１０は、その旨を受信すると、図７（ａ）に示す楽曲選択メニュー画面４１に係る画面データを表示端末装置２へ送信し（Ｓ５）、表示端末装置２は、画面データの受信に伴い、楽曲選択メニュー画面４１をモニタ３に表示して、ユーザにより選択された楽曲の通知をサーバ装置１０へ送信する（Ｓ６）。サーバ装置１０は選択楽曲の通知を受信すると、図７（ｂ）に示すような、選択された楽曲のイメージを受け付ける受付画面４２に係る画面データを作成して表示端末装置２へ送信する（Ｓ７）。
【００６９】
表示端末装置２は、画面データの受信に伴い、受付画面４２をモニタ３に表示して、入力欄４２ａでユーザから受け付けた言葉（楽曲の印象を表す言葉）を楽曲のＩＤと共にサーバ装置１０へ送信する（Ｓ８）。サーバ装置１０は言葉及び楽曲のＩＤを受信すると、ＩＤに係る画曲に関連付けて受信した言葉を検索用データベース２０に登録し、データベース作成処理を行う（Ｓ９）。なお、受信した言葉が、関連付けられる楽曲に関して既に検索用データベース２０に登録されている場合、サーバ装置１０は、その言葉の受信回数に「１」を加える処理を行って、データベースの登録作成処理を行う。また、サーバ装置１０が受信した言葉を登録した後は、トップメニュー画面４０を再表示させるための処理段階へ戻る。このように、本発明では、ユーザの主観的なイメージを表した言葉を順次受け付けて検索用データベース２０を作成していくので、実際にサービスを使用するユーザ側の視点に基づいて楽曲のイメージ付けを行うことができ、さらに、少数のユーザのイメージも反映した内容にできる。
【００７０】
一方、図１２は、図１１の第１フローチャートで、画曲検索のボタン４０ｂが選択された場合（Ｓ３：検索）に開始されるコンテンツ検索に係る処理手順（コンテンツ検索方法の処理手順）を示した第２フローチャートである。第２フローチャートにおいて、先ず、表示選択装置２は、楽曲検索を選択した旨をサーバ装置１０へ送信する（Ｓ１１）。サーバ装置１０は、その旨を受信すると、図８に示す検索ワード受付画面４３に係る画面データを表示端末装置２へ送信し（Ｓ１２）、表示端末装置２は、画面データの受信に伴い、検索ワード受付画面４３をモニタ３に表示して入力欄４３ａで、ユーザから受け付けた検索ワードをサーバ装置１０へ送信する（Ｓ１３）。
【００７１】
サーバ装置１０は、受信した検索ワードに係る楽曲を検索用データベース２０から検索する（Ｓ１４）。検索により該当した楽曲があるときは、使用した検索ワードに基づき図９（ａ）の検索結果画面４４、図９（ｂ）の検索結果画面４５、又は図１０の検索結果画面４６のいずれかに係る画面データを作成して表示端末装置２へ送信する（Ｓ１５）。表示端末装置２は、画面データの受信に伴い、検索結果画面をモニタ３に表示する（Ｓ１６）。これにより、ユーザは入力した検索ワードに基づく検索結果を確認できる。
【００７２】
さらに、表示端末装置２は、検索結果として図９（ａ）の検索結果画面４４、図９（ｂ）の検索結果画面４５、または図１０の検索結果画面４６のいずれか一つの画面を表示した状態で、楽曲のイメージを表す言葉、楽曲のタイトル名、又は終了ボタン４４ｃ、４５ｇ、４６ｆのいずれの事項が選択されたかを判断する（Ｓ１７）。終了ボタン４４ｃ、４５ｇ、４６ｆが選択された場合（Ｓ１７：終了ボタン）、サーバ装置１０は、表示端末装置２との通信接続を切断して処理を終了する。また、楽曲のタイトル名が選択された場合（Ｓ１７：タイトル名）、表示端末装置２は楽曲のダウンロード指示をサーバ装置１０へ送信する（Ｓ１８）。サーバ装置１０は、ダウンロード指示を受信すると、その指示に含まれたＩＤに対応する楽曲データ（コンテンツデータ）をコンテンツデータベース３０から読み出して表示端末装置２へ送信（配信）する（Ｓ１９）。また、楽曲データを受信した表示端末装置２は、楽曲データをハードディスク装置２ｈに記録して保存し（Ｓ２０）、ユーザの望むときに再生できるようしている。
【００７３】
最後に、楽曲のイメージを表す言葉が選択された場合（Ｓ１７：言葉）、表示端末装置２は、選択された言葉を楽曲のＩＤと共にサーバ装置１０へ送信する（Ｓ２１）。この後の処理は、図１１の第１フローチャート中に「Ｂ」で示した箇所へ移動し、サーバ装置１０は言葉及び楽曲のＩＤを受信すると、ＩＤに係る画曲に関連付けて受信した言葉の受信回数を「１」、増やして検索用データベース２０に登録し、データベース作成処理を行うことになる（Ｓ９）。このように検索結果画面からも、楽曲のイメージを表す言葉をサーバ装置１０に集めることができるので、ユーザ側にとっては検索結果と共に楽曲のイメージを確認することで、より楽曲のイメージが思い浮かびやすくなり、その状態で自身のイメージに合う言葉を選択するだけで、自身のイメージを検索用データベース２０に反映させられるという楽しみ、ユーザの皆で検索用データベース２０を作り上げると云う楽しみを享受できる。また、サービスを運営する事業体側としては、検索結果を示す場面においても、楽曲のイメージを表す言葉をユーザから得られる機会を設けて、早期に検索用データベース２０の内容を増強することができ、特に新曲に対してイメージを表す言葉を効率よく集めることができる。
【００７４】
なお、図８に示す検索ワード受付画面４３においては、入力欄４３ａで複数の検索ワードが受付可能であり、複数の検索ワードを受け付けた場合、それらの検索ワードを表示端末装置２はサーバ装置１０へ送信し、サーバ装置１０は受信した複数の検索ワードを所謂「ａｎｄ検索」として検索する処理を行う。例えば、サーバ装置１０が「明るい」及び「ポップ」と云う２語を受信した場合、図５に示す検索用データベース２０では、「明るい」及び「ポップ」の２語（受信した全ての語）が対応付けられている楽曲Ａ及び楽曲Ｄを該当した検索結果としてサーバ装置１０は、検索結果画面に載せることになる。この際、該当した順位は、２語を合わせた受信回数の多い順に表記するようにしている。また、複数の検索ワードの組合せ方には制限がないため、「明るい」及び「暗い」という反対の意味の語で検索することも可能であり、各ユーザのイメージにより、「明るい」及び「暗い」が登録されていると、検索で楽曲が該当することもあり、従来では検索できなかったような内容でも検索結果を導くことができる。
【００７５】
なお、本発明は上述した実施形態に限定されるものではなく、種々の変形例の適用が可能である。先ず、対象となるコンテンツは楽曲以外にも、各ユーザがコメントを出せるコンテンツ、イメージを出せるコンテンツであれば本発明は対応可能であり、具体例としては、静止画、動画（映画、ドラマ等）、及び書籍等が該当する。また、検索ワードとして使用する言葉には、例えば、「明るい」「明るく」「明るくて」と云うように、同意だが表現が異なるものが使用される場合があるが、この場合、同意語は一つの言葉にまとめて検索処理を行い、検索に該当した結果が少なくなることを防止してもよい。このことは、図８の検索ワード受付画面４３でイメージを表す言葉を受け付ける場合にも適用してもよく、例えば、「明るい」「明るく」「明るくて」と云う各言葉を受け付けたときは、「明るい」と云う言葉を受け付けたことにして検索用データベース２０に登録してもよい。
【００７６】
また、図１３は、図７（ｂ）の受付画面４２の変形例に係る受付画面４７を示している。変形例の受付画面４７は、楽曲Ａのイメージを表す言葉を受け付けるものであり、検索用データベース２０に登録している言葉を選択可能に挙げたリスト欄４７ａと、自由に言葉を入力できる入力欄４７ｂを設けたことが特徴である。このように、入力欄４７ｂ以外に、リスト欄４７ａを設けることで、ユーザの入力負担を低減できると共に、現在登録されている言葉をユーザに伝えることができ、また、ユーザのイメージする言葉がリスト欄４７ａ中に存在するときは、その言葉が選択されることで、楽曲のＩＤと共に選択された言葉がサーバ装置１０へ送信されるため、上述した同意語の発生頻度の低減にも貢献できる。
【００７７】
さらに、図１４は、図７（ｂ）の受付画面４２の別の変形例に係る受付画面４８を示している。変形例の受付画面４８は、楽曲Ａのイメージを表す言葉を受け付ける入力欄４８ａに加えて、入力を行うユーザの出身地又は居住地の受付が可能な地域入力欄４８ｂを設けたことが特徴である。地域入力欄４８ｂで受け付けた内容（例えば、地域Ａ、地域Ｂ等）は、入力欄４８で受け付けた言葉及び楽曲ＡのＩＤと共にサーバ装置１０へ送信されるようになっている。また、図１５は、図１４の受付画面４８を用いた場合に作成される変形例の検索用データベース５０の内容を示している。変形例の検索用データベース５０はＩＤ欄５０ａ、楽曲情報欄５０ｂ、楽曲イメージ欄５０ｃに加えて地域欄５０ｄを設けたことが特徴であり、表示端末装置２から送信される地域が、言葉と共に楽曲に関連付けられており、登録の仕方としては、地域ごと各言葉を分けて登録している。
【００７８】
さらに、図１６は、図１４の受付画面４８及び図１５の検索用データベース５０を用いた場合の変形例の検索結果画面７０を示し、図９（ａ）の楽曲Ａを検索ワードにしたときの検索結果画面４４に対応するものである。図１６の検索結果画面７０は、検索結果に加えて楽曲Ａのイメージリスト７０ａを載せているが、このイメージリスト７０ａは図１５の検索用データベース５０の内容に従って、地域別に上位３位までの言葉を挙げている。このように地域別に楽曲Ａのイメージを表す言葉を挙げることで、地域ごとの楽曲Ａのイメージの差をユーザは楽しむことができる。なお、このような地域別にイメージの言葉を載せるイメージリストは、楽曲の作成者名で検索を行った検索結果画面及びイメージを表す言葉で検索を行った検索結果画面にも勿論適用可能である。
【００７９】
なお、地域別のイメージリストを検索結果画面の載せる処理を行う場合、ユーザの場所に関する特定は、図１４の受付画面４８でユーザから入力された内容を利用する以外に、表示端末装置２が設置される場所、通信に使用される中継経路の位置などを利用して、ユーザの場所を特定することも可能である。また、本発明に係るサービスに対する処理負担をできるだけ低減したい時は、検索結果画面にイメージリストを載せることを省略することが好適である。
【００８０】
さらに、本発明は、図１に示すようなネットワークシステムに適用される以外にも、スタンドアロンタイプの装置に適用することも可能である（例えば、カラオケ装置）。このようなスタンドアロンタイプの装置では、図１に示す表示端末装置２がサーバ装置１０と一体化されたようなイメージにして、表示端末装置２の部分がユーザに対する入力出力インタフェースを担うように装置を構成することになる。
【図面の簡単な説明】
【００８１】
【図１】本発明の実施形態に係るコンテンツ配信システムに係る構成を示す概略図である。
【図２】表示端末装置の内部構成を示すブロック図である。
【図３】サーバ装置の内部構成を示すブロック図である。
【図４】サービス開始時の検索用データベースの中身を示す概略図である。
【図５】サービス開始後、各楽曲のイメージを表す言葉が登録された検索用データベースの中身を示す概略図である。
【図６】トップメニュー画面を示す概略図である。
【図７】（ａ）は楽曲選択メニューを示す概略図、（ｂ）は受付画面を示す概略図である。
【図８】検索ワード受付画面を示す概略図である。
【図９】（ａ）は楽曲のタイトル名を検索ワードにした場合の検索結果画面を示す概略図、（ｂ）は楽曲の作成者名を検索ワードにした場合の検索結果画面を示す概略図である。
【図１０】楽曲のイメージを表す言葉を検索ワードにした場合の検索結果画面を示す概略図である。
【図１１】データベース作成方法に係る処理手順を示す第１フローチャートである。
【図１２】コンテンツ検索方法に係る処理手順を示す第２フローチャートである。
【図１３】変形例の受付画面を示す概略図である。
【図１４】別の変形例の受付画面を示す概略図である。
【図１５】変形例の検索用データベースの中身を示す概略図である。
【図１６】変形例の検索結果画面を示す概略図である。
【符号の説明】
【００８２】
１  コンテンツ配信システム
２、２′、２″  表示端末装置
１０  サーバ装置
１７  サーバプログラム
２０  検索用データベース
３０  コンテンツデータベース
４０  トップメニュー画面
４１  楽曲選択メニュー画面
４２  受付画面
４３  検索ワード受付画面
４４、４５、４６  検索結果画面
ＮＷ  ネットワーク
【図１】
2007249570.tif 000003
【図２】
2007249570.tif 000004
【図３】
2007249570.tif 000005
【図４】
2007249570.tif 000006
【図５】
2007249570.tif 000007
【図６】
2007249570.tif 000008
【図７】
2007249570.tif 000009
【図８】
2007249570.tif 000010
【図９】
2007249570.tif 000011
【図１０】
2007249570.tif 000012
【図１１】
2007249570.tif 000013
【図１２】
2007249570.tif 000014
【図１３】
2007249570.tif 000015
【図１４】
2007249570.tif 000016
【図１５】
2007249570.tif 000017
【図１６】
2007249570.tif 000018